(57)【要約】【課題】位置決め冶具を不要にして工数削減、費用の軽減を図る。【解決手段】ラックに設けられたラック側コネクタにガイド孔１５を設ける。ラック側コネクタに嵌合可能なアンプ側コネクタに、ガイド孔１５に嵌合可能なガイドピン２５を設ける。ガイド孔１５及びガイドピン２５に極性の異なる磁石１６，２６をそれぞれ設け、アンプ側コネクタをラック側コネクタに近づけるにしたがってガイドピン２５がガイド孔１５に磁力によって引き寄せられるようにした。【選択図】図２
2009110735.tif 000002
【特許請求の範囲】
【請求項１】
ラックに設けられたラック側コネクタと、
前記ラックに収容される筐体に設けられ、前記ラック側コネクタに嵌合可能なアンプ側コネクタと、
前記ラック側コネクタ及び前記アンプ側コネクタの一方に設けられたガイドピンと、
前記ラック側コネクタ及び前記アンプ側コネクタの他方に設けられ、前記ガイドピンをガイド可能なガイド孔と、
前記ガイドピンを前記ガイド孔に嵌合する方向へ案内する吸引手段と
を備えていることを特徴とするコネクタ。
【請求項２】
前記吸引手段は、前記ガイドピン及び前記ガイド孔の一方に設けられた第１の磁石と、前記ガイドピン及び前記ガイド孔の他方に設けられ、前記第１の磁石に吸着可能な第２の磁石又は前記第１の磁石に吸着可能な磁性体とから構成されていることを特徴とする請求項１記載のコネクタ。
【請求項３】
前記吸引手段は、前記ラック側コネクタに設けられた第１の磁石と、前記アンプ側コネクタに設けられ、前記第１の磁石に吸着可能な第２の磁石又は前記第１の磁石に吸着可能な磁性体とから構成されていることを特徴とする請求項１記載のコネクタ。
【発明の詳細な説明】
【技術分野】
【０００１】
この発明はコネクタに関する。
【背景技術】
【０００２】
従来、電子機器の筐体を収容可能であって、電子機器側コネクタと嵌合可能なラック側コネクタを有する電子機器収容ラックが知られている（下記公報参照）。電子機器の筐体の背面に形成された電子機器側コネクタが、正面側が外部に開放された収納室の背面側内壁面に形成されたラック側コネクタと嵌合する。ラック側コネクタにはガイドピンが設けられている。ガイドピンは電子機器側コネクタのガイド孔に挿入可能である。
【０００３】
しかし、ガイドピンの電子機器側コネクタの挿入方向に対する傾きが大きすぎたり、ラック側コネクタの位置のずれが大きすぎたりしたとき、両コネクタを嵌合させることができなくなったり、嵌合できたとしても両コネクタに過大な力が加わり、コネクタのハウジングを破損させたりするおそれがある。
【０００４】
電子機器側コネクタをラック側コネクタに正しく嵌合させることができるようにするため、ラック側コネクタに接続されたケーブルによって妨げられないようにラック側コネクタを動かすことができるかを確認したり、ラック側コネクタの位置がずれていないかを位置決め冶具を用いて確認したりして、ラック側コネクタの位置ずれを調整する。
【特許文献１】特開２００５−３０３２４４号公報
【発明の開示】
【発明が解決しようとする課題】
【０００５】
しかし、位置決め冶具を使用して電子機器収容ラックを組み付ける場合、位置決めを行うための煩雑な作業工程が必要になるだけでなく、位置決め冶具を作製するための手間と費用がかかる。
【０００６】
この発明はこのような事情に鑑みてなされたもので、その課題は位置決め冶具を不要にして工数削減、冶具費用の軽減を図ることである。
【課題を解決するための手段】
【０００７】
上記課題を解決するため請求項１記載の発明は、ラックに設けられたラック側コネクタと、前記ラックに収容される筐体に設けられ、前記ラック側コネクタに嵌合可能なアンプ側コネクタと、前記ラック側コネクタ及び前記アンプ側コネクタの一方に設けられたガイドピンと、前記ラック側コネクタ及び前記アンプ側コネクタの他方に設けられ、前記ガイドピンをガイド可能なガイド孔と、前記ガイドピンを前記ガイド孔に嵌合する方向へ案内する吸引手段とを備えていることを特徴とする。
【０００８】
請求項２記載の発明は、請求項１記載のコネクタにおいて、前記吸引手段は、前記ガイドピン及び前記ガイド孔の一方に設けられた第１の磁石と、前記ガイドピン及び前記ガイド孔の他方に設けられ、前記第１の磁石に吸着可能な第２の磁石又は前記第１の磁石に吸着可能な磁性体とから構成されていることを特徴とする。
【０００９】
請求項３記載の発明は、請求項１記載のコネクタにおいて、前記吸引手段は、前記ラック側コネクタに設けられた第１の磁石と、前記アンプ側コネクタに設けられ、前記第１の磁石に吸着可能な第２の磁石又は前記第１の磁石に吸着可能な磁性体とから構成されていることを特徴とする。
【発明の効果】
【００１０】
この発明によれば、位置決め冶具を不要にして工数削減、費用の軽減を図ることができる。
【発明を実施するための最良の形態】
【００１１】
以下この発明の実施の形態を図面に基づいて説明する。
【００１２】
図１（ａ）はこの発明の第１実施形態に係るコネクタのラック側コネクタの斜視図、図１（ｂ）はそのＡ−Ａ線に沿う断面を示す概念図、図１（ｃ）はアンプ側コネクタの斜視図、図１（ｄ）はそのＢ−Ｂ線に沿う断面を示す概念図である。
【００１３】
このコネクタは、ラック（図示せず）に設けられるラック側コネクタ１０と、ラックに収容される筐体（図示せず）に設けられ、ラック側コネクタ１０と嵌合可能なアンプ側コネクタ２０とからなる。
【００１４】
この実施形態では、ラック側コネクタ１０は雌コネクタであり、アンプ側コネクタ２０は雄コネクタである。
【００１５】
ラック側コネクタ１０は、ほぼ直方体形状のハウジング１１と、ハウジング１１の長手方向の両側面に一体的に形成されたサイドブロック１２とからなる。ハウジング１１とサイドブロック１２とは例えば寸法安定性や耐熱性に優れたＰＢＴ（ポリブチレンテレフタレート）樹脂で一体的に成形される。
【００１６】
ハウジング１１にはそれぞれアンプ側コネクタ２０のおすコンタクト２３が嵌合するめすコンタクト１３が設けられている。めすコンタクト１３は外部電源（図示せず）やモータの入出力線（図示せず）にそれぞれ接続されている。
【００１７】
サイドブロック１２にはそれぞれアンプ側コネクタ２０のガイドピン２５が嵌合するガイド孔１５が設けられている。ガイド孔１５の内径は円柱状のガイドピン２５の外径よりわずかに大きい。ガイド孔１５の内周面には筒状の磁石（第１の磁石）１６が設けられている。
【００１８】
アンプ側コネクタ２０は、ほぼ直方体形状のハウジング２１と、ハウジング２１の長手方向の両側面に一体的に形成されたサイドブロック２２とからなる。ガイドピン２５はサイドブロック２２に設けられている。ハウジング２１とサイドブロック２２とは例えばＰＢＴ樹脂で一体的に成形される。
【００１９】
ガイドピン２５の先端部には磁石１６に吸着可能な磁石（第２の磁石）２６が設けられている。磁石１６と磁石２６とは逆極性である。磁石１６と磁石２６とで吸引手段が構成される。
【００２０】
なお、磁石１６に代えてラック側コネクタ１０のガイド孔１５の内周面に筒状の磁性体（図示せず）設け、この磁性体と磁石２６とで吸引手段を構成してもよいし、磁石２６に代えてアンプ側コネクタ２０のガイドピン２５の先端部に磁性体（図示せず）を設け、この磁性体と磁石１６とで吸引手段を構成してもよい。
【００２１】
次に、上記コネクタの嵌合動作を図２（ａ）〜（ｃ）を参照して説明する。
【００２２】
図２（ａ）〜（ｃ）はコネクタの嵌合動作を説明する側面図である。なお、ラック側のサイドブロック１２は図１（ｂ）のＡ−Ａ線に沿う断面を示す概念図と同じである。
【００２３】
アンプ側コネクタ２０とラック側コネクタ１０との相対的な位置関係を目視によって確認しながら、例えばラックに描かれたコネクタ嵌合方向を示すケガキ線に沿って筐体をラックに挿入する。
【００２４】
アンプ側コネクタ２０をラック側コネクタ１０に近づけるにしたがってガイド孔１５とガイドピン２５との間に作用する吸着力によってガイドピン２５がガイド孔１５に引き寄せられ、ガイドピン２５の中心軸とガイド孔１５の中心軸とが一致する（図２（ｂ）参照）。
【００２５】
その後、筐体とラックとの挿入状態を目視で確認しながら、ガイドピン２５をガイド孔１５に挿入する。サイドブロック１２とサイドブロック２２とが当接したとき、ラック側コネクタ１０とアンプ側コネクタ２０とが完全に嵌合する（図２（ｃ）参照）。
【００２６】
この実施形態によれば、アンプ側コネクタ２０をラック側コネクタ１０に近づけるにしたがってガイドピン２５がガイド孔１５に磁力によって引き寄せられるので、従来必要であった位置決め冶具を不要にして工数削減、費用の軽減を図ることができる。
【００２７】
なお、上記実施形態では、ラック側コネクタ１０を雌コネクタとし、アンプ側コネクタ２０を雄コネクタとしたが、ラック側コネクタ１０を雄コネクタとし、アンプ側コネクタ２０を雌コネクタとしても同様の効果を得ることができる。
【００２８】
図３（ａ）はこの発明の第２実施形態に係るコネクタのラック側コネクタの斜視図、図３（ｂ）はアンプ側コネクタの斜視図である。なお、第１実施形態と共通する部分には同一符号を付してその説明を省略する。
【００２９】
このコネクタは、ラック（図示せず）に設けられるラック側コネクタ５０と、ラックに収容される筐体に設けられ、ラック側コネクタ５０に嵌合可能なアンプ側コネクタ６０とからなる。
【００３０】
この実施形態では、ラック側コネクタ５０は雌コネクタであり、アンプ側コネクタ６０は雄コネクタである。
【００３１】
ラック側コネクタ５０は、ほぼ直方体形状のハウジング１１と、ラック側ハウジング５０の長手方向の両側に一体的に形成されたサイドブロック１２とからなる。
【００３２】
ラック側のハウジング１１の正面にはアンプ側のハウジング２１の正面に設けられた磁石（第２の磁石）２７と吸着可能な磁石（第１の磁石）１７が設けられている。磁石２７と磁石１７とはコネクタ嵌合方向で対向する。磁石２７と磁石１７とは逆極性であり、例えば磁石１７の磁石２７との対向面にはＮ極ができ、磁石２７の磁石１７との対向面にはＳ極ができている。ハウジング１１に設けられた磁石１７とハウジング２１に設けられた磁石２７とで吸引手段が構成される。
【００３３】
なお、ハウジング２１に磁石２７に代えて磁性体（図示せず）を設け、この磁性体とハウジング１１に設けられた磁石１７とで吸引手段を構成しても、ハウジング１１に磁石１７に代えて磁性体（図示せず）を設け、この磁性体とハウジング２１に設けられた磁石２７とで吸引手段を構成してもよい。
【００３４】
アンプ側コネクタ６０は、ほぼ直方体形状のハウジング２１と、ハウジング２１の長手方向の両側に一体的に形成されたサイドブロック２２とからなる。
【００３５】
なお、サイドブロック２２にはそれぞれラック側コネクタ５０のガイド孔１５に嵌合するガイドピン６５が設けられている。
【００３６】
次に、上記コネクタの嵌合動作を図４（ａ）、（ｂ）を参照して説明する。
【００３７】
図４（ａ）、（ｂ）はコネクタの嵌合動作を説明する側面図である。
【００３８】
アンプ側コネクタとラック側コネクタとの相対的な位置関係を目視によって確認しながら、例えばラックに描かれたコネクタ嵌合方向を示すケガキ線に沿って筐体をラックに挿入する。
【００３９】
ラック側コネクタ５０とアンプ側コネクタ６０との位置ずれが許容範囲内にあれば（図４（ａ）参照）、アンプ側コネクタ６０をラック側コネクタ５０に近づけるにしたがって磁石１７と磁石２７との間に作用する吸着力によって磁石２７が磁石１７に引き寄せられ、ガイドピン６５の中心軸とガイド孔１５の中心軸とが一致する。
【００４０】
その後、筐体とラックとの挿入状態を目視で確認しながら、ガイドピン６５をガイド孔１５に挿入する。磁石２７と磁石１７とが当接したとき、ラック側コネクタ５０とアンプ側コネクタ６０とが完全に嵌合する（図４（ｂ）参照）。
【００４１】
この実施形態によれば、第１実施形態と同様の効果を奏する。
【図面の簡単な説明】
【００４２】
【図１】図１（ａ）はこの発明の第１実施形態に係るコネクタのラック側コネクタの斜視図、図１（ｂ）はそのＡ−Ａ線に沿う断面を示す概念図、図１（ｃ）はアンプ側コネクタの斜視図、図１（ｄ）はそのＢ−Ｂ線に沿う断面を示す概念図である。
【図２】図２（ａ）〜（ｃ）はコネクタの嵌合動作を説明する側面図である。
【図３】図３（ａ）はこの発明の第２実施形態に係るコネクタのラック側コネクタの斜視図、図３（ｂ）はアンプ側コネクタの斜視図である。
【図４】図４（ａ）、（ｂ）はコネクタの嵌合動作を説明する側面図である。
【符号の説明】
【００４３】
１０，５０：ラック側コネクタ、１５：ガイド孔、１６，１７：磁石（第１の磁石）、２０，６０：アンプ側コネクタ、２５，６５：ガイドピン、２６，２７：磁石（第２の磁石）。
【図１】
2009110735.tif 000003
【図２】
2009110735.tif 000004
【図３】
2009110735.tif 000005
【図４】
2009110735.tif 000006